(57)【要約】【課題】出銑口開孔用パイプの装着が極めて容易で、連結強度に優れ、出銑口開孔用パイプを低価格で製造することが可能な出銑口開孔用パイプの連結構造を提供する。【解決手段】削岩機ＳのシャンクロッドＳ１の先端部にねじ止め固定するラグ２０を設ける。ラグ２０の先端部に着脱自在に連結する開穿用パイプ１０を設け。ラグ２０の先端部に嵌入凹部を形成する。嵌入凹部に沿った外側面に略Ｌ字形のスライドロック軌条２２を形成する。開穿用パイプ１０の側面に係合突起１１を突設する。係合突起１１をスライドロック軌条２２に係合する。開穿用パイプ１０をラグ２０内に着脱自在に連結する。【選択図】  図１
0003187063.tif 000002
【実用新案登録請求の範囲】
【請求項１】
高炉内の溶銑を炉外に出銑する出銑口を開孔せしめる削岩機に着脱自在に装着する出銑口開穿用パイプの連結構造において、
削岩機のシャンクロッドの先端部にねじ止め固定するラグと、該ラグの先端部に着脱自在に連結する開穿用パイプとで構成され、
ラグの先端部に開穿用パイプの基端部を嵌入せしめる嵌入凹部を形成すると共に、該嵌入凹部に沿った外側面に略Ｌ字形の切欠状を成すスライドロック軌条を形成し、
該スライドロック軌条にスライド係合せしめる係合突起を開穿用パイプの基端部外側面に突設し、
該係合突起をスライドロック軌条に係合して開穿用パイプをラグ内に着脱自在に連結するように構成したことを特徴とする出銑口開穿用パイプの連結構造。
【請求項２】
前記係合突起は、前記開穿用パイプの外側面に溶接された丸棒で構成された請求項１記載の出銑口開穿用パイプの連結構造。
【請求項３】
前記開穿用パイプは、先端部にロックビットが溶着された請求項１記載の出銑口開穿用パイプの連結構造。
【考案の詳細な説明】
【技術分野】
【０００１】
本考案は、高炉における出銑口の開孔等に使用される削岩機に装着して使用する出銑口開穿用パイプの連結構造に関するものである。
【背景技術】
【０００２】
高炉内で生産される溶銑を炉外に出銑する出銑口は、削岩機のシャンクロッドの先端部に先端が鋭利に形成された金棒や、先端にロックビットを装着したシャンクロッド等の削孔具を接続し、これに打撃及び回転を付与して出銑口を破砕する方法が広く採用されている。
【０００３】
従来の出銑口開孔用削岩機のシャンクロッドは、先端部に雄ねじ部が形成されており、そこに削孔具装着用のタッピングジョイントを螺着し、そのタッピングジョイントに金棒、ロッド等の削孔具を装着する。ところが、この種のロッドは、一回の使用によって溶融してしまうので、高価なロッドを使用するのは不経済である。
【０００４】
そこで、従来のロッドと同様に、削岩機に取り付けたシャンクロッドの先端部の雌ねじ部に螺着して使用する出銑口開孔用パイプが特許文献１に提案されている。この出銑口開孔用パイプは、外径が３０〜５０ｍｍで肉厚が１０ｍｍ以下の鋼製丸パイプの一方の端部に所定長さの雄ねじ部を形成したもので、従来のロッドと同様に、削岩機に取り付けたシャンクロッドの先端部に螺着して使用されるものである。
【先行技術文献】
【特許文献】
【０００５】
【特許文献１】特開平１１‐３５００１１号公報
【考案の概要】
【考案が解決しようとする課題】
【０００６】
ところが、特許文献１に記載の出銑口開孔用パイプは、削岩機に取り付けたシャンクロッドの先端部に螺着して使用するものであるから、ねじを締め付けて出銑口開孔用パイプを装着するまでに多くの手間を要するものであった。また、ねじ加工に要する製造コストが出銑口開孔用パイプの製造コストを高めるものでもあった。しかも、出銑口開孔用パイプの連結部分がねじであると、打撃力等の負荷が、このねじに直接加わるため、ねじが変形してシャンクロッドの先端部から外れなくなったり、あるいはねじが切断して出銑口開孔用パイプが脱落したりする不都合もあった。
【０００７】
そこで、本考案は、上述の不都合を解決すべく案出されたもので、出銑口開孔用パイプの装着が極めて容易で、連結強度に優れ、しかも出銑口開孔用パイプを低価格で製造することが可能な出銑口開孔用パイプの連結構造の提供を目的とするものである。
【課題を解決するための手段】
【０００８】
上述の目的を達成すべく本考案における第１の手段は、高炉内の溶銑を炉外に出銑する出銑口を開孔せしめる削岩機Ｓに着脱自在に装着する出銑口開穿用パイプの連結構造において、
削岩機ＳのシャンクロッドＳ１の先端部に形成された雄ねじ部に基端部をねじ止め固定するラグ２０と、該ラグ２０の先端部に着脱自在に連結する開穿用パイプ１０とで構成され、ラグ２０の先端部に開穿用パイプ１０の基端部を嵌入せしめる嵌入凹部２１を形成すると共に、該嵌入凹部２１に沿った外側面に略Ｌ字形の切欠状を成すスライドロック軌条２２を形成し、
該スライドロック軌条２２にスライド係合せしめる係合突起１１を開穿用パイプ１０の基端部外側面に突設し、
該係合突起１１をスライドロック軌条２２に係合して開穿用パイプ１０をラグ２０内に着脱自在に連結するように構成したことにある。
【０００９】
第２の手段において、前記係合突起１１は、前記開穿用パイプ１０の外側面に溶接された丸棒で構成されたものである。
【００１０】
第３の手段において、前記開穿用パイプ１０は、先端部にロックビット３０が溶着されたものである。
【考案の効果】
【００１１】
請求項１のごとく、該係合突起１１をスライドロック軌条２２に係合して開穿用パイプ１０をラグ２０に着脱自在に固定するように構成したことにより、削岩機ＳのシャンクロッドＳ１に開穿用パイプ１０を極めて簡単に装着することができるようになった。この結果、従来のごとくねじを締め付けて出銑口開孔用パイプを装着する構造に比べて極めて短時間で開穿用パイプ１０の装着が可能になったものである。
【００１２】
請求項２のように、係合突起１１は、前記開穿用パイプ１０の外側面に溶接された丸棒で構成することで、ねじ加工した従来の出銑口開穿用パイプと比べて製造コストを極めて安くすることができた。しかも、シャンクロッドに加えられた打撃力等の負荷は、この係合突起１１に直接加わるものでないので、従来のねじ構造のように、ねじが変形してシャンクロッドの先端部から外れなくなったり、あるいはねじが切断して出銑口開孔用パイプが脱落したりする不都合も解消された。
【００１３】
請求項３のごとく、開穿用パイプ１０は、先端にロックビット３０が溶着されたものとすることで、消耗品であるロックビット３０を交換する場合でも、開穿用パイプ１０ごと極めて簡単に交換することができるので、出銑口開穿作業を合理化することができる。
【図面の簡単な説明】
【００１４】
【図１】本考案の連結状態を示す要部断面図である。
【図２】本考案の開穿用パイプの一実施例を示す一部切欠側面図である。
【図３】本考案のラグの一実施例を示す要部断面図である。
【図４】本考案のラグと開穿用パイプとの連結状態を示す要部断面図である。
【図５】本考案のラグと開穿用パイプとの連結状態を示す横断面図である。
【考案を実施するための形態】
【００１５】
このように本考案によると、出銑口開孔用パイプの装着が極めて容易で、連結強度に優れ、しかも出銑口開孔用パイプを低価格で製造することが可能になるなどといった当初の目的を実現した。
【００１６】
以下、本考案の実施例を説明する。図１において示される符号Ｓは削岩機であり、この削岩機Ｓの先端にシャンクロッドＳ１が設けられている。このシャンクロッドＳ１には、ラグ２０を介して開穿用パイプ１０が装着され、この開穿用パイプ１０の先端に装着したロックビット３０により、高炉内で生産される溶銑を炉外に出銑せしめる出銑口を破砕して開孔するものである。
【００１７】
開穿用パイプ１０は、外径が３４ｍｍで肉厚が６．４ｍｍの鋼製丸パイプを使用しているが、パイプのサイズは適宜変更することができる。この開穿用パイプ１０の基端部外側面に係合突起１１が突設されている（図２参照）。
【００１８】
図示の係合突起１１は、開穿用パイプ１０の外側面に溶接された丸棒で構成している（図５参照）。この係合突起１１は、他の部材や形状に変更することも可能である。そして、この係合突起１１をラグ２０のスライドロック軌条２２に係合することで、開穿用パイプ１０をラグ２０に着脱自在に連結するように構成したものである。
【００１９】
すなわち、ラグ２０の基端部にはハイリード左雌ねじ２３が形成され、削岩機ＳのシャンクロッドＳ１の先端部に形成された雄ねじ部にねじ止め固定するように構成している（図１参照）。また、ラグ２０の先端部には、開穿用パイプ１０の基端部を嵌入せしめる嵌入凹部２１を形成している（図３参照）。そして、嵌入凹部２１の嵌入方向に沿ったスライドロック軌条２２を、ラグ２０の外側面に切欠形成する。
【００２０】
このスライドロック軌条２２は、嵌入凹部２１に沿った略Ｌ字形を成すもので、開穿用パイプ１０の係合突起１１をスライド嵌入した後、開穿用パイプ１０を６７度回転させることで、係合突起１１を係合せしめるものである（図４参照）。
【００２１】
本考案の連結手順は、まず削岩機ＳのシャンクロッドＳ１先端にラグ２０をねじ止め固定する。次に、先端部にロックビット３０を溶接した開穿用パイプ１０の基端部をラグ２０の嵌入凹部２１に嵌入する（図３参照）。そして、開穿用パイプ１０を６７度回転させてスライドロック軌条２２に係合突起１１を係合させると、ラグ２０に開穿用パイプ１０が連結される（図４参照）。この状態で開穿作業を行うものである。ロックビット３０が消耗するなど、開穿用パイプ１０を交換する際は、開穿用パイプ１０を逆に回転させてスライドロック軌条２２から係合突起１１を解除するのみで簡単に取り外すことができる。
【００２２】
尚、本考案の構成は図示例に限定されるものではなく、開穿用パイプ１０の構成やラグ２０の構成などは任意に変更することができるものである。
【符号の説明】
【００２３】
Ｓ    削岩機
Ｓ１  シャンクロッド
１０  開穿用パイプ
１１  係合突起
２０  ラグ
２１  嵌入凹部
２２  スライドロック軌条
２３  ハイリード左雌ねじ
３０  ロックビット
【図１】
0003187063.tif 000003
【図２】
0003187063.tif 000004
【図３】
0003187063.tif 000005
【図４】
0003187063.tif 000006
【図５】
0003187063.tif 000007